(57)【特許請求の範囲】
【請求項１】
入力手段を有する複数の表示装置をそれぞれ分配器により、１台の制御装置に接続し、
前記制御装置に、複数の画像データを記憶し、前記表示装置の入力手段の操作により、選択された画像データを出力し、全ての表示装置に表示する構成とし、
前記分配器に、票決を取るために会議参加者に入力を促す画像データを記憶し、前記制御装置からの表示指令に応じて、前記制御装置より伝送されてきた画像データに前記票決を取るために会議参加者に入力を促す画像データを組み込む機能を付加したこと
を特徴とする会議システム。
【請求項２】
前記制御装置に、前記入力手段より位置座標を入力すると、選択された画像データの前記指定された位置座標に、位置表示用画像データを組み込む機能を付加したこと
を特徴とする請求項１に記載の会議システム。
【請求項３】
前記入力手段を、タッチパネルにより構成したこと
を特徴とする請求項１または請求項２に記載の会議システム。
【発明の詳細な説明】
【０００１】
【発明の属する技術分野】
本発明は、会議参加者毎に設置した液晶ディスプレイを接続した会議システムに関するものである。
【０００２】
【従来の技術】
従来、上記会議システムは、１台のコンピュータに会議の発表者の画像データ（原稿）を予め記憶させ、発表者は、発表席に移動し、この発表席に設置された前記コンピュータのキーボードあるいはマウスを操作して発表者の画像データを、各参加者毎に設置した液晶ディスプレイに表示させて発表を行っていた。
【０００３】
【発明が解決しようとする課題】
しかし、上記会議システムでは、発表者は発表席に移動しなければならず、会議の効率が悪いという問題があった。
【０００４】
また参加者は発表者により表示された画像の内容に対して質疑があるときに、表示された画像に対して質疑を行いたい箇所を直接指摘することができず、質疑を円滑に行うことができないという問題があった。
【０００５】
そこで、本発明は、会議の効率を改善し、また表示装置への参加者の指摘する箇所の表示を可能とした会議システムを提供することを目的としたものである。
【０００６】
【課題を解決するための手段】
前述した目的を達成するために、本発明のうち請求項１記載の発明は、入力手段を有する複数の表示装置をそれぞれ分配器により、１台の制御装置に接続し、前記制御装置に、複数の画像データを記憶し、前記表示装置の入力手段の操作により、選択された画像データを出力し、全ての表示装置に表示する構成とし、前記分配器に、票決を取るために会議参加者に入力を促す画像データを記憶し、前記制御装置からの表示指令に応じて、前記制御装置より伝送されてきた画像データに前記票決を取るために会議参加者に入力を促す画像データを組み込む機能を付加したことを特徴とするものである。
【０００７】
ここで、入力手段はキーボードやマウスやタッチパネルである。また制御装置に記憶される画像データは、原稿や図表のデータである。
上記構成により、発表者は、席を移動せずに、自分の席から入力手段の操作すると、制御装置に予め記憶させた画像データが選択されて全ての表示装置に表示される。また、制御装置からの表示指令に応じて、分配器に記憶された、票決を取るために会議参加者に入力を促す画像データが制御装置より伝送されてきた画像データに組み込まれ、表示装置に表示される。
【０００９】
請求項２に記載の発明は、請求項１記載の発明であって、前記制御装置に、前記入力手段より位置座標を入力すると、選択された画像データの前記指定された位置座標に、位置表示用画像データを組み込む機能を付加したことを特徴とするものである。
【００１０】
ここで、位置表示用画像データはたとえばカーソルの画像データである。
上記構成により、会議の参加者が入力手段により入力した位置座標に位置表示用画像データに組み込まれ、表示装置に表示される。よって、参加者は、画像の任意の箇所を指摘することができる。
【００１１】
請求項３に記載の発明は、請求項１または請求項２に記載の発明であって、前記入力手段を、タッチパネルにより構成したことを特徴とするものである。
上記構成により、入力手段と表示装置を一体に構成でき、接続、設置を容易にすることができる。
【００１２】
【発明の実施の形態】
以下、本発明の実施の形態を図面に基づいて説明する。
図１は、本発明の実施の形態における会議システムの構成図である。
【００１３】
各会議の参加者毎に配置される表示装置１は、液晶ディスプレイ２とこの液晶ディスプレイ２の表示部（画面上）に設置されたタッチパネル（入力手段の一例）３から構成され、これら液晶ディスプレイ２とタッチパネル３は、表示装置１毎に設置された分配器４に接続されている。各分配器４はケーブル５により順に接続され、始点の分配器４Ａにはコンピュータ（制御装置の一例）６が接続されている。またコンピュータ６には、キーボード７と液晶ディスプレイ８が接続されている。なお、キーボード７に代えてマウスやタッチパネルを接続してもよい。
【００１４】
上記分配器４の構成を図２に示す。
コンピュータ６または上流側（コンピュータ６側）の分配器４のケーブル５に接続される入力ピンコネクタ11と、下流側の分配器４のケーブル５に接続される出力ピンコネクタ12と、対応する表示装置１の液晶ディスプレイ２とタッチパネル３に接続される表示ピンコネクタ13が設けられている。各ピンコネクタ11，12，13は、画像データ用ピン群ａと、指令データ用ピン群ｂから形成されている。
【００１５】
入力ピンコネクタ11の画像データ用ピン群ａは、セレクタ14と第１バッファ15に接続され、第１バッファ15は出力ピンコネクタ12の画像データ用ピン群ａに接続されており、コンピュータ６から出力された画像データは、入力ピンコネクタ11の画像データ用ピン群ａ、セレクタ14、第１バッファ15および出力ピンコネクタ12の画像データ用ピン群ａを経由して下流の分配器４へ順に伝送される。上記第１バッファ15は、位相調整機能を有しており、画像データの劣化を防止している。
【００１６】
また表示装置１毎の固有の画像データが予め記憶されるメモリ16と、ＣＰＵからなるコントローラ17が設けられ、上記セレクタ14は、液晶ディスプレイ２へ画像データを出力する際、コントローラ17の指令データにしたがって、入力したコンピュータ６からの画像データをそのまま、あるいはこの画像データに前記メモリ16のデータを組み込み、第２バッファ18、および信号ピンコネクタ13の画像データ用ピン群ａを経由して液晶ディスプレイ２へ出力する。
【００１７】
上記固有の画像データとしては、票決を取る際に表示する画像などがある。
上記コントローラ17は、各ピンコネクタ11，12，13の指令データ用ピン群ｂ、セレクタ14、およびメモリ16に接続され、下記の機能を有している。
１．入力ピンコネクタ11の指令データ用ピン群ｂから入力した、コンピュータ６または上流側の分配器４から出力された指令データを、出力ピンコネクタ12の指令データ用ピン群ｂを介して下流側の分配器４へ伝送する。
２．出力ピンコネクタ12の指令データ用ピン群ｂから入力した、下流側の分配器４から出力された指令データを、入力ピンコネクタ11の指令データ用ピン群ｂを介して、コンピュータ６と上流側の分配器４へ伝送する。
３．コンピュータ６または上流／下流の分配器４から出力される指令データを判断し、上記メモリ16に記憶された固有データの表示指令を確認すると、この表示指令による固有データの読み込み指令信号をセレクタ14へ出力し、上述したように、コンピュータ６の画像データに固有データを組み込ませて液晶ディスプレイ２へ表示させる。たとえば、票決を取る際に表示する画像などが付加される。
４．タッチパネル３より入力した操作（タッチ）された画面上の位置座標のデータ（以下、座標データと称す）をピンコネクタ11の指令データ用ピン群ｂを介して、コンピュータ６へ出力する。
【００１８】
上記コンピュータ６の構成を図３に示す。
キーボード７に接続される入力ピンコネクタ21と、液晶ディスプレイ８に接続される画像ピンコネクタ22と、分配器４のケーブル５に接続される出力ピンコネクタ23が設けられ、出力ピンコネクタ23は、画像データ用ピン群ａと、指令データ用ピン群ｂから形成されている。
【００１９】
また分配器４と同じセレクタ14とメモリ16が設けられ、セレクタ14に画像ピンコネクタ22が接続され、セレクタ14より画像ピンコネクタ22を介して液晶ディスプレイ８へ画像データが出力される。
【００２０】
また、初期画面の画像データ、会議の複数の発表者が予め入力する発表内容の画像データ（原稿や図表などのデータ）、画像データに付加する付加画像データ（「票決」の結果を示す画像データなど）を記憶する画像メモリ26が設けられ、この画像メモリ26に記憶された複数の画像データからコントローラ27の指令にしたがって画像データを選択して出力ピンコネクタ23の画像データ用ピン群ａを介して分配器４と、前記セレクタ14へ出力する画像コントローラ28が設けられている。
【００２１】
入力ピンコネクタ21は入力インターフェイス29に接続され、キーボート７の操作信号は、これら入力ピンコネクタ21と入力インターフェイス29を介してコントローラ27へ入力される。
【００２２】
上記コントローラ27は、ＣＰＵから構成され、出力ピンコネクタ23の指令データ用ピン群ｂ、入力インターフェイス29、画像コントローラ28、画像メモリ26、セレクタ14、およびメモリ16に接続されている。
【００２３】
液晶ディスプレイ２，８へ表示される画面を図４と図５に示す。
図４（ａ）は、会議システムのアプリケーションが立ち上げられたとき、表示される初期画面であり、後述する“発表”のアイコンと会議システムのアプリケーションを終了させるための“終了”のアイコンが設けられている。
【００２４】
図４（ｂ）は、画像メモリ26へ会議の発表者が予め記憶させた画像データの一覧の画面であり、これら画像データ毎にアイコンが設けられている。
図４（ｃ）は、会議の発表者が選択した画像データの画面であり、画面の頁をバックさせる“前頁”のアイコンと画面の頁を進行させる“次頁”のアイコンが設けられ、さらに後述する“票決”と図４（ａ）の初期画面に戻すための“終了”のアイコンが設けられている。
【００２５】
図５（ａ）は、図４（ｃ）の会議の発表者が選択した画像データの画面に、参加者（発表者でもよい）が指示した位置にカーソルを表示させた画面である。
図５（ｂ）は、“票決”のアイコンが操作されたときに、図４（ｃ）の会議の発表者が選択した画像データの画面に“票決”用の画像を付加させた画面であり、賛成の“ＹＥＳ”のアイコンと反対の“ＮＯ”のアイコンが設けられている。
【００２６】
図５（ｃ）は、賛成の“ＹＥＳ”のアイコンまたは反対の“ＮＯ”のアイコンが操作されたときに、賛成の票数と反対の票数を表示させる画面であり、図４（ｃ）の画面に戻すための“戻る”のアイコンと図４（ａ）の初期画面に戻すための“終了”のアイコンが設けられている。
【００２７】
上記図４と図５の画面を参照しながらコントローラ27の機能を説明する。
Ａ．会議システムのアプリケーションの起動により、初期画面の画像データを選択し、画像コントローラ28へ初期画面の画像データの読み込み指令信号を出力し、画像メモリ26に記憶された初期画面の画像データを出力ピンコネクタ23の画像データ用ピン群を介して分配器４と、コンピュータ６内のセレクタ14へ出力し、全ての液晶ディスプレイ２，８へ、図４（ａ）に示す初期画面を表示させる。
Ｂ．出力ピンコネクタ12の指令データ用ピン群ｂから入力した、分配器４から出力された座標データと、キーボート７の操作信号を判断して下記の動作を実行する。
【００２８】
１．図４（ａ）の“発表”のアイコンがタッチされた座標データのとき
画像メモリ26に予め記憶された発表者の画像データの一覧の読み込み指令信号を画像コントローラ28へ出力し、画像メモリ26に記憶された発表者の画像データの一覧を出力ピンコネクタ23の画像データ用ピン群を介して分配器４と、コンピュータ６内のセレクタ14へ出力し、全ての液晶ディスプレイ２，８へ、図４（ｂ）に示す画像データ一覧を表示させる。
【００２９】
２．図４（ｂ）の“Ａ”のアイコンがタッチされた座標データのとき
この“Ａ”の画像データの読み込み指令信号を画像コントローラ28へ出力し、画像メモリ26に記憶された“Ａ”の発表者の画像データを出力ピンコネクタ23の画像データ用ピン群を介して分配器４と、コンピュータ６内のセレクタ14へ出力し、全ての液晶ディスプレイ２，８へ、図４（ｃ）に示す発表者の画像データを表示させる。
【００３０】
３．図４（ｃ）の“前頁”または“次頁”のアイコンがタッチされた座標データのとき
図４（ｃ）に表示された発表者の画像データにおいて、“前頁”または“次頁”の指令信号を画像コントローラ28へ出力し、画像メモリ26に記憶された発表者の画像データの“前頁”または“次頁”のデータを出力ピンコネクタ23の画像データ用ピン群を介して分配器４と、コンピュータ６内のセレクタ14へ出力し、全ての液晶ディスプレイ２，８へ発表者の“前頁”または“次頁”の画像データを表示させる。
【００３１】
４．図４（ｃ）において、アイコンと無関係の箇所がタッチされた座標データのとき
入力した座標データの座標位置にカーソルの画像データ（位置表示用画像データの一例）を組み込む指令信号を画像コントローラ28へ出力し、図４（ｃ）の発表者の画像データにカーソルの画像データを組み込んだデータを出力ピンコネクタ23の画像データ用ピン群を介して分配器４と、コンピュータ６内のセレクタ14へ出力し、全ての液晶ディスプレイ２，８へ、図５（ａ）に示すように、カーソルが表示された発表者の画像データを表示させる。
【００３２】
５．図４（ｃ）の“票決”のアイコンがタッチされた座標データのとき
この“票決”のデータを記憶するとともに、出力ピンコネクタ23の指令データ用ピン群ｂを介して各分配器４と、コンピュータ６内のセレクタ14へ「票決」を行う画像データの付加指令データを出力し、全ての液晶ディスプレイ２，８へ、図５（ｂ）に示すように、「票決」を行う画像データを付加した画面を表示させる。
【００３３】
６．図５（ｂ）の“ＹＥＳ”または“ＮＯ”のアイコンがタッチされた座標データのとき
各参加者のＹＥＳまたはＮＯデータを入力すると、票数の画面の表示指令信号を画像コントローラ28へ出力し、図５（ｃ）に示す票数の画面のを表示させ、続いて「ＹＥＳ」と「ＮＯ」の票数をカウントし、カウント数を画像コントローラ28へ出力し、票数を画面に表示させる。
【００３４】
７．図５（ｃ）の“戻る”のアイコンがタッチされた座標データのとき
図４（ｃ）の発表者の画像データを表示させる指令信号を画像コントローラ28へ出力し、図４（ｃ）の発表者の画像データを再び出力ピンコネクタ23の画像データ用ピン群を介して分配器４と、コンピュータ６内のセレクタ14へ出力し、全ての液晶ディスプレイ２，８へ、図４（ｃ）に示すように、発表者の画像データを表示させる。
【００３５】
８．図４（ｃ），図５（ａ）（ｂ）（ｃ）の“終了”のアイコンがタッチされた座標データのとき
図４（ａ）の初期画面の画像データを表示させる指令信号を画像コントローラ28へ出力し、図４（ａ）の初期画面の画像データを再び出力ピンコネクタ23の画像データ用ピン群を介して分配器４と、コンピュータ６内のセレクタ14へ出力し、全ての液晶ディスプレイ２，８へ、図４（ａ）に示す初期画面を表示させる。
【００３６】
９．図４（ａ）の“終了”のアイコンがタッチされた座標データのとき
会議システムのアプリケーションを終了する。
以下、上記構成における作用を説明する。なお、予め発表予定者は、コンピュータ６の画像メモリ26へ画像データを記憶させ、また、発表予定者は記憶させた画像データの名称を記憶しているものとする。また会議システムのアプリケーションが立ち上げられ、図４（ａ）に示す初期画面が全液晶ディスプレイ２，８に表示されているものとする。
【００３７】
各出席者は表示装置１の前に着席し、発表者は表示装置１のタッチパネル３の“発表”のアイコンをタッチすると、“発表”のアイコンの座標データが分配器４を通してコンピュータ６のコントローラ27へ入力され、コントローラ27は、画像コントローラ28へ指令して、図４（ｂ）に示す画像メモリ26に記憶された発表者の画像データの一覧を、全ての液晶ディスプレイ２，８へ表示させる。
【００３８】
次に、画像データ一覧の中から発表者は表示装置１のタッチパネル３の自分「画像データの名称」、たとえば“Ａ”のアイコンをタッチすると、“Ａ”のアイコンの座標データが分配器４を通してコンピュータ６のコントローラ27へ入力され、コントローラ27は、画像コントローラ28へ指令して、図４（ｃ）に示す画像メモリ26に記憶された発表者の画像データを、全ての液晶ディスプレイ２，８へ表示させる。またコントローラ27は、“前頁”または“次頁”のアイコンがタッチされた座標データを入力すると、画面を切り替えて表示させる。
【００３９】
発表者は、液晶ディスプレイ２，８に表示された画面を参照しながら、発表を行う。途中で、参加者が画面において、指摘したい箇所があると、指摘したい箇所をタッチする。すると、このタッチされた位置の座標データが分配器４を通してコンピュータ６のコントローラ27へ入力され、コントローラ27は、画像コントローラ28へ指令して、図５（ａ）に示すように指摘された箇所にカーソルの画像データを発表者の画像データに組み込んで、全ての液晶ディスプレイ２，８へ表示させる。これにより、参加者は自分の席に居たままで、発表者に対して、カーソルにより画面の箇所を指摘して、この箇所の説明を求めたり、疑問を提示することができる。
【００４０】
また発表者は、「票決」が必要なとき、タッチパネル３の“票決”のアイコンをタッチする。すると、“票決”のアイコンの座標データがコンピュータ６のコントローラ27へ入力され、コントローラ27は、各分配器４とコンピュータ６内のセレクタ14へ「票決」を行う画像データの付加指令データを出力し、図５（ｂ）に示すように、メモリ16に記憶された票決の固有画像データを発表者の画像データに組み込ませて各液晶ディスプレイ２，８へ表示させる。
【００４１】
各参加者は、タッチパネル３の“ＹＥＳ”または“ＮＯ”のアイコンを選択してタッチする。すると、“ＹＥＳ”または“ＮＯ”のアイコンの座標データはコンピュータ６のコントローラ27へ入力され、コントローラ27は、図５（ｃ）に示すように、「ＹＥＳ」と「ＮＯ」の票数をカウントし、カウント数を画像コントローラ28へ出力し、「票決」の結果（票数）を示す画像を全ての液晶ディスプレイ２，８へ表示させる。
【００４２】
発表者は、「票決」が終了すると、タッチパネル３の“戻る”のアイコンをタッチする。すると、“戻る”のアイコンの座標データがコンピュータ６のコントローラ27へ入力され、コントローラ27は、図４（ｃ）に示す発表者の画像データへ戻す。
【００４３】
また発表者が、発表を終了し、タッチパネル３の“終了”のアイコンをタッチすると、“終了”のアイコンの座標データがコンピュータ６のコントローラ27へ入力され、コントローラ27は、図４（ａ）に示す初期画面へ戻す。続いて次の発表者により発表が開始される。
【００４４】
また図４（ａ）に示す初期画面において、タッチパネル３の“終了”のアイコンをタッチすると、“終了”のアイコンの座標データがコンピュータ６のコントローラ27へ入力され、コントローラ27は、会議システムのアプリケーションを終了する。
【００４５】
このように、発表者は席を移動せずに、自分の席で、タッチパネル３の操作により発表の画像データを呼び出して全ての液晶ディスプレイ２，８へ表示させることができ、会議の効率を改善することができる。また他の参加者は、自分の席で、発表の画面に指摘したい箇所があると、その箇所をカーソルで指摘することができ、発表者に対して、指摘した箇所の説明を求めたり、疑問を提示することができ、質疑を円滑に行うことができる。
【００４６】
また、票決も、各参加者は席を立つことなく、タッチパネル３の操作により行うことができ、会議の効率を改善することができる。
またタッチパネル２の採用により、表示装置１を一体型に構成でき、接続、設置を容易にすることができる。
【００４７】
なお、本実施の形態では、分配器４のメモリ16に記憶された固有データをコンピュータ６から入力した画像データに組み込むようにしているが、組み込むだけでなく、コンピュータ６から入力した画像データに代えて固有データを表示するようにすることもできる。
【００４８】
また表示装置１に、入力手段としてタッチパネル３を配置しているが、タッチパネル３に代えて、マウスやキーボードを設けることもできる。
【００４９】
【発明の効果】
以上述べたように本発明によれば、自分の席で、入力手段の操作により自分の画像データを呼び出して全ての表示装置へ表示させることができ、会議の効率を改善することができる。
【図面の簡単な説明】
【図１】本発明の実施の形態における会議システムの構成図である。
【図２】同会議システムの分配器の構成図である。
【図３】同会議システムのコンピュータの構成図である。
【図４】同会議システムの液晶ディスプレイに表示される画面の図である。
【図５】同会議システムの液晶ディスプレイに表示される画面の図である。
【符号の説明】
１    表示装置
２，８    液晶ディスプレイ
３    タッチパネル（入力手段）
４    分配器
５    ケーブル
６    コンピュータ（制御装置）
７    キーボード
11，12，13，21，22，23    ピンコネクタ
14    セレクタ
15，18    バッファ
16    メモリ
17    コントローラ
26    画像メモリ
27    コントローラ
28    画像コントローラ
29    入力インターフェイス
【図１】
0003638437.tif 000002
【図２】
0003638437.tif 000003
【図３】
0003638437.tif 000004
【図４】
0003638437.tif 000005
【図５】
0003638437.tif 000006